(57)【要約】【課題】  本発明は先払い方式で満タン給液を行う際の釣り銭金額を表示することを課題とする。【解決手段】  給液中のタッチパネル４９の画面には、給液中画面９４が表示される。給液中画面９４は、給液中の釣り銭金額を更新表示する釣り銭金額表示領域９４ａと、給液所からのメッセージを表示するメッセージ表示領域９４ｂと、給液量に応じた金額を更新表示する給液金額表示領域９４ｃと、給液量を更新表示する給液量表示領域９４ｄとを有する。釣り銭金額表示領域９４ａには、給液中であることを表示すると共に、流量計７２により計測された積算流量の増加に伴って減算した釣り銭金額を表示するように数値を更新する。これにより、顧客は、入金金額から給液金額（税込み）を差し引いた釣り銭金額を一目で確認することが可能になる。これにより、追加給液を行う際に釣り銭に小銭が含まれないように簡単に給液ノズル６０の給液量を調整することが可能になる。【選択図】  図９
2005104472.tif 000002
【特許請求の範囲】
【請求項１】
被供給体への燃料の供給に先立って、貨幣が入金される入金機と、
該入金機に貨幣が入金されたことを条件に前記被供給体へ燃料を供給する燃料供給機と、
燃料供給量を計測する計測手段と、
前記計測手段による計測値の基づいて燃料供給量に対応する燃料供給金額を演算する燃料供給金額演算手段と、
前記入金金額から燃料供給量に対応する燃料供給金額を差し引くことにより釣り銭金額を演算する釣り銭金額演算手段と、
前記釣り銭金額演算手段による演算された釣り銭金額を表示する表示手段と、
を備えたことを特徴とする燃料供給システム。
【発明の詳細な説明】
【技術分野】
【０００１】
本発明は燃料供給システムに係り、特に現金先払い方式の燃料供給機を用いて車両の燃料タンク（被供給体）に燃料を供給するよう構成した燃料供給システムに関する。
【背景技術】
【０００２】
ここでは、ガソリンや軽油等の油液を車両の燃料タンクに供給する燃料供給システムを例に挙げて以下説明する。
【０００３】
セルフサービス方式の燃料供給機が設置された給液所等では、顧客（運転者）自身が給液モードの設定、給液作業、給液料金の精算を行うようになっている。そのため、顧客（運転者）は、給液料金の精算方法（現金支払いまたはクレジットカード支払い）を指定した後、給液を行う前に給液する油種や給液量等のスイッチを有する設定器により所定の油種、給液量または給液金額を入力する設定操作を行った後、給液操作を行うようになっている。
【０００４】
また、現金先払いセルフサービス方式の燃料供給機に給液量または給液金額の設定を行う設定器及び紙幣が入金される自動支払機が設けられている所謂アイランド精算方式の場合には、給液場所で給液料金の精算を行うことができる。この自動支払機は、紙幣挿入部及び紙幣収容部が設けられ、挿入された紙幣の種類を鑑別する紙幣鑑別部と、挿入された紙幣金額（入金金額）を表示する表示部とを有する。
そして、アイランド精算方式の燃料供給システムでは、満タン給液モードで給液する場合、顧客（運転者）は、給液前に予め給液量を予測して、自動支払機の紙幣挿入部に紙幣を余分に挿入する。そして、入金された金額が紙幣リーダにより読み取られて表示部に入金金額が表示された後、所望の油種（レギュラー、ハイオク、軽油等）を入力することで、燃料供給機が給液可能状態になる。
【０００５】
給液が開始されると、流量計により計測された積算流量が給液量として表示器に表示されると共に、現在の給液量に当該燃料の単価（円／Ｌ）を乗算した給液金額を表示器に表示する（例えば、特許文献1参照）。
【０００６】
給液終了後、入金金額から給液量に応じた給液金額と消費税とを合計した金額を差し引いて釣り銭金額が算出され、釣り銭金額が顧客に払いだされる。その際、顧客は、釣り銭金額の一桁で端数が出た場合、１円玉の釣り銭を受け取ることになるので、なるべく小さい金額の釣り銭が出ないように給液量を調整するようなノズル操作を行う場合がある。
【０００７】
そのため、顧客は、給液ノズルが燃料タンク内の液面上昇により自動閉弁機構が作動して主弁を閉弁させると、表示器に表示された給液金額から釣り銭金額を暗算して小さい金額の釣り銭が出ないように追加の給液量を調整する。これにより、例えば、入金額が５千円とすると、一桁で端数が出ないように（例えば、釣り銭が３００円、あるいは１５０円となるように）給液ノズルのノズルレバーを少しずつ開弁操作している。
【特許文献１】特開平５−７７８９５号公報
【発明の開示】
【発明が解決しようとする課題】
【０００８】
しかしながら、従来は、燃料供給機の表示器に給液量と、給液金額が表示されるため、釣り銭金額を顧客自身が暗算することになり、顧客の操作が煩雑になるばかりか、計算ミスが生じやすく折角、一桁で端数が出ないように給液ノズルのノズルレバーを少しずつ開弁操作しても結果的に一桁で端数が出てしまい、１円玉の釣り銭を受けることになる場合がある。
そこで、本発明は上記課題を解決した燃料供給システムを提供することを目的とする。
【課題を解決するための手段】
【０００９】
本発明は、被供給体への燃料の供給に先立って、貨幣が入金される入金機と、
該入金機に貨幣が入金されたことを条件に前記被供給体へ燃料を供給する燃料供給機と、
燃料供給量を計測する計測手段と、
前記計測手段による計測値の基づいて燃料供給量に対応する燃料供給金額を演算する燃料供給金額演算手段と、
前記入金金額から燃料供給量に対応する燃料供給金額を差し引くことにより釣り銭金額を演算する釣り銭金額演算手段と、
前記釣り銭金額演算手段による演算された釣り銭金額を表示する表示手段と、
を備えたことを特徴とする。
【発明の効果】
【００１０】
本発明によれば、釣り銭金額演算手段による演算された釣り銭金額を表示して報知するため、従来のように給液操作を行いながら入金金額から給液金額を差し引いて釣り銭金額を暗算するといった面倒なことをせずに済み、小銭が釣り銭に含まれないように比較的簡単に給液量を調整することが可能になる。
【発明を実施するための最良の形態】
【００１１】
以下、図面と共に本発明の一実施例について説明する。
【実施例】
【００１２】
図１は本発明になる燃料供給機の一実施例が適用された給液システムの構成図である。
図１に示されるように、給液システム１０は、給液エリア１２に設置された釣り銭機１４と、複数の燃料供給機１６（１６１〜１６ｎ）と、事務所１８内に設置されたＰＯＳ本体２０と、ＰＯＳ本体２０に接続された記憶装置２２とを有する。
【００１３】
燃料供給機１６は、セルフサービス給液方式の計量機２４と、計量機２４に搭載された設定器２６と、料金をその場で精算するための自動支払機（入金機）２８とを有する。また、複数の燃料供給機１６（１６１〜１６ｎ）は、通信回線（例えば、ＳＳ−ＬＡＮ）３０を介してＰＯＳ本体２０と接続されている。
【００１４】
図２は燃料供給機１６の正面図である。
図２に示されるように、燃料供給機１６は、セルフサービス方式の計量機２４と、操作部３８と、操作部３８の両側に起立する支柱４０，４２と、上部に横架されたホース支持部４４とを有する。
【００１５】
計量機２４の内部には、後述する各給液系統の電磁弁と、給液ポンプと、流量計などの各機器が設けられている。
【００１６】
操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、設定器２６に設定入力画面が表示される。
【００１７】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。そのため、設定器２６は、計量機２４と一体的に設けられており、設置スペースが縮小されている。これにより、給液所の限られた敷地により多くの燃料供給機１６を設置することが可能になる。
【００１８】
また、人検知センサ５０としては、例えば、光センサあるいはイメージセンサなどを用いたものであり、給液操作を行う操作者が設定器２６の前に立ったことを検知してその検知信号を出力する。
【００１９】
自動支払機２８は、紙幣挿入部５２と、カード挿入部５４と、レシート発行部５６と、釣り銭払出し部５７を有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２０】
カード挿入部５４は、給液所が発行したプリペイドカード、あるいはクレジットカードを挿入されると、カードに記憶された情報を読み取り、給液が可能かどうかを設定器２６に表示させる。
【００２１】
レシート発行部５６は、給液が終了すると、液種、給液量、給液金額、消費税、合計金額、釣り銭金額などの給液情報を記載したレシート（領収書）を発行する。釣り銭払出し部５７は、現金先払いで満タン給液モードが選択された場合に先払いされた入金金額から給液量に応じた給液金額（消費税込み）を減算して算出された釣り銭を払い出しする。
【００２２】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２３】
図３は燃料供給機１６の各機器の構成を示すブロック図である。
図３に示されるように、燃料供給機１６の制御回路（制御手段）６６には、各給液経路に設けられた電磁弁６８、給液ポンプ７０、流量計（計測手段）７２、メモリ８０と、人検知センサ５０、ノズル掛け６２に設けられたノズルスイッチ７４、自動支払機２８に設けられた紙幣鑑別部７６、設定器２６、カード挿入部５２に設けられたカードＲ／Ｗ７８、インタホン４８と、レシート発行部５６に設けられたプリンタ８２と、釣り銭を払出しする釣り銭払い出し部５７と接続されている。
【００２４】
また、メモリ８０には、後述する流量計７２による計測値の基づいて燃料供給量に対応する燃料供給金額を演算する制御プログラムI（燃料供給金額演算手段）と、入金金額から燃料供給量に対応する燃料供給金額を差し引くことにより釣り銭金額を演算する制御プログラムII（釣り銭金額演算手段）と、演算された釣り銭金額をタッチパネル４９に表示する制御プログラムIII(表示手段)とが格納されている。
【００２５】
ここで、図４乃至図１０を参照して設定器２６のタッチパネル４９に表示される設定操作画面の表示例について説明する。
【００２６】
手順Ａ：顧客（運転者）が設定器２６の前に立つと、人検知センサ５０がオンになるため、図４に示されるように、タッチパネル４９の画面には、支払い方法入力画面８４が表示される。
【００２７】
支払い方法入力画面８４は、メッセージ表示領域８４ａと、設定操作表示領域８４ｂとを有する。そして、メッセージ表示領域８４ａには、例えば、「支払い方法を選んで下さい」といったような操作手順のガイダンスとが表示される。また、設定操作表示領域８４ｂには、「いらしゃいませ」といったメッセージが表示されると共に、現金支払い方法を選択するための現金選択釦８４ｄと、クレジットカード支払い方法を選択するためのクレジットカード選択釦８４ｅとが表示される。
【００２８】
顧客（運転者）は、タッチパネル４９に表示された現金選択釦８４ｄまたはクレジットカード選択釦８４ｅの表示領域に触れることで支払い方法を選択する。このように、支払い方法を選択されると、次の手順Ｂに移行する。
【００２９】
手順Ｂ：例えば、手順Ａで現金支払い方法が選択された場合は、図５に示されるように、タッチパネル４９の画面に、紙幣入金画面８６が表示される。
【００３０】
紙幣入金画面８６は、メッセージ表示領域８６ａと、設定操作表示領域８６ｂとを有する。そして、メッセージ表示領域８６ａには、例えば、「右の紙幣投入口より紙幣を入れてください」といったような操作手順のガイダンスが表示される。
【００３１】
また、設定操作表示領域８６ｂには、紙幣挿入部５２に挿入された紙幣の金額を表示する入金額表示欄８６ｃと、入金額表示欄８６ｃに表示された「金額がよろしければ「決定」を押して下さい」といったような操作手順のガイダンス８６ｄと、取消釦８６ｅと、決定釦８６ｆとが表示される。
【００３２】
従って、顧客（運転者）は、紙幣を紙幣挿入部５２に挿入した後、入金額表示欄８６ｃに表示された金額が入金額と一致することを確認して決定釦８６ｆを押圧操作する。また、入金額表示欄８６ｃに表示された金額が入金額と一致しない場合には、取消釦８６ｅを押圧操作する。
【００３３】
このように、紙幣投入後に決定釦８６ｆまたは取消釦８６ｅが押圧操作されると、次の手順Ｃに移行する。
【００３４】
手順Ｃ：例えば、手順Ｂで決定釦８６ｆが押圧操作される場合は、図６に示されるように、タッチパネル４９の画面に、液種選択画面８８が表示される。
【００３５】
液種選択画面８８は、メッセージ表示領域８８ａと、設定操作表示領域８８ｂとを有する。そして、メッセージ表示領域８８ａには、例えば、「液種を選んで下さい」といったような操作手順のガイダンスが表示される。
【００３６】
また、設定操作表示領域８８ｂには、レギュラ選択釦８８ｃ、ハイオク選択釦８８ｄ、軽油選択釦８８ｅ、取消釦８８ｆと、入金画面に戻る釦８６ｇとが表示される。
【００３７】
従って、顧客（運転者）は、車両のエンジン仕様に対応する液種の液種選択釦（例えば、レギュラ選択釦８８ｃ）を押圧操作する。また、液種選択操作を間違えた場合には、取消釦８８ｆを押圧操作する。また、入金額を変更した場合には、入金画面に戻る釦８６ｇを押圧操作する。
【００３８】
このように、レギュラ選択釦８８ｃ、ハイオク選択釦８８ｄ、軽油選択釦８８ｅの何れかの液種選択釦が押圧操作されると、次の手順Ｄに移行する。
【００３９】
手順Ｄ：上記手順Ｃで液種選択操作が行われると、図７に示されるように、タッチパネル４９の画面に、設定確認画面９０が表示される。
【００４０】
設定確認画面９０は、メッセージ表示領域９０ａと、設定操作表示領域９０ｂとを有する。そして、メッセージ表示領域９０ａには、例えば、「設定内容を確認してください」といったような操作手順のガイダンスが表示される。
【００４１】
また、設定操作表示領域９０ｂには、上記手順１〜３で設定された支払い方法、液種、入金額、単価、給液方法（プリセット給液モードまたは満タン給液モード）、プリセット給液の場合のプリセット金額、プリセット量が表示される設定データ一覧９０ｃと、量指定釦９０ｄと、金額指定釦９０ｅと、確認釦（事前操作完了検出手段）９０ｆと、取消釦９０ｇと、液種画面に戻る釦９０ｈとが表示される。
【００４２】
給液量を設定する場合には、量指定釦９０ｄを押圧操作する。この場合、入金額の範囲内で任意の給液量をプリセットすることが可能になる。また、給液金額を設定する場合には、金額指定釦９０ｅを押圧操作する。この場合、入金額を最大値として任意の給液金額をプリセットすることが可能になる。
【００４３】
確認釦９０ｆは、プリセット給液モードで給液する場合には、「確認」と表示されており、満タン給液モードで給液する場合には、「満タン」と表示される。従って、確認釦９０ｆは、顧客（運転者）が量指定釦９０ｄまたは金額指定釦９０ｅを押圧操作しない場合には、「満タン」と表示され、顧客（運転者）が量指定釦９０ｄまたは金額指定釦９０ｅを押圧操作した場合には、「確認」と表示される。
【００４４】
そのため、満タン給液モードで給液する場合には、液種を選択した後、確認釦９０ｆを押圧操作すれば良いことが容易に分かる。また、上記確認釦９０ｆの代わりに他の検出手段を事前操作完了検出手段として用いることも可能であり、例えば、ノズルスイッチ７４がオフになったとき事前操作完了したものと判断することも可能であり、あるいは流量計７２から出力された流量パルスにより事前操作完了と判断することも可能である。
【００４５】
このように、プリセット給液モードまたは満タン給液モードの設定操作が終了すると、次の手順Ｅに移行する。
【００４６】
手順Ｅ：上記手順Ｄで設定操作が行われると、図８に示されるように、タッチパネル４９の画面に、設定完了画面９２が表示される。
【００４７】
設定完了画面９２は、メッセージ表示領域９２ａと、設定完了表示領域９２ｂとを有する。そして、メッセージ表示領域９２ａには、例えば、「ノズルを給液口に入れ、レバーを引いてください」といったような操作手順のガイダンスが表示される。
【００４８】
また、設定完了画面９２には、上記設定データ（支払方法、液種、入金額、給液方法、プリセット給液モードの場合そのプリセット金額、プリセット量）を表示する設定データ表示部９２ｃと、取消釦９２ｄとが表示される。
【００４９】
従って、顧客（運転者）は、設定データ表示部９２ｃに表示された設定データを確認した後、給液ノズル６０をノズル掛け６２から外して車両（図示せず）の給液口に挿入する。そして、給液ノズル６０のノズルレバーが開弁操作されることで、給液が開始される。
【００５０】
このように、車両への給液が開始されると、次の手順Ｆに移行する。
【００５１】
手順Ｆ：上記手順Ｅで給液開始操作が行われると、図９に示されるように、タッチパネル４９の画面に、給液中画面９４が表示される。
【００５２】
給液中画面９４は、給液中の釣り銭金額を更新表示する釣り銭金額表示領域９４ａと、給液所からのメッセージを表示するメッセージ表示領域９４ｂと、給液量に応じた金額を更新表示する給液金額表示領域９４ｃと、給液量を更新表示する給液量表示領域９４ｄとを有する。
【００５３】
また、釣り銭金額表示領域９４ａには、給液中であることを表示すると共に、流量計７２により計測された積算流量の増加に伴って減算した釣り銭金額を表示するように数値を更新する。これにより、顧客は、入金金額から給液金額（税込み）を差し引いた釣り銭金額を一目で確認することが可能になる。
【００５４】
手順Ｇ：上記手順Ｅで給液が終了すると、図１０に示されるように、タッチパネル４９の画面に、給液終了画面９６が表示される。
【００５５】
給液中画面９６は、メッセージ表示領域９６ａと、給液結果を表示する給液結果表示領域９６ｂとを有する。メッセージ表示領域９６ａには、例えば、「給液終了」といったメッセージを表示して、顧客（運転者）に給液が終了したことを報知する。
【００５６】
また、給液結果表示領域９６ｂには、例えば、「ありがとうございました」といったメッセージを表示すると共に、給液量、税込み給液金額、消費税額の各数値、及び支払方法、液種、入金額、給液方法等の設定データを表示する。
【００５７】
これで、顧客（運転者）は、タッチパネル４９に表示された給液終了画面９６から今回の給液操作による給液量、税込み給液金額を確認する。
【００５８】
この給液終了画面９６は、給液ノズル６０をノズル掛け６２に戻した後、所定時間表示される。その後、タッチパネル４９の画面には、図４に示す設定スタート画面８４が表示される。
【００５９】
尚、本実施例では、上記手順Ａ〜Ｇの各画面を順番に表示する場合について説明したが、例えば、手順Ｅの設定完了画面９２（図８参照）を省略し、手順Ｄから手順Ｆに移行するようにしても良い。
【００６０】
ここで、燃料供給機１６の制御回路６６が実行する制御処理について図１１及び図１２を参照して説明する。
【００６１】
図１１に示されるように、制御回路６６は、ステップＳ１１（以下「ステップ」を省略する）において、人検知センサ５０がオンかどうかをチェックする。人検知センサ５０がオンになると、顧客が設定器２６の前にいるものと判断して、Ｓ１２に進み、設定器２６のタッチパネル４９に支払い方法入力画面８４（図４参照）を表示する。
【００６２】
次のＳ１３では、クレジットカード選択釦８４ｅが押圧操作されたかどうかをチェックする。Ｓ１３において、クレジットカード選択釦８４ｅが押圧操作されたときは、Ｓ１４に進み、現金選択釦８４ｄが押圧操作されたかどうかをチェックする。Ｓ１４において、現金選択釦８４ｄが押圧操作されないときは、上記Ｓ１１に戻る。
【００６３】
Ｓ１３において、クレジットカード選択釦８４ｅが押圧操作されたときは、Ｓ１５に進み、カード挿入部５４に挿入されたカードが正常かどうかをチェックする。そして、Ｓ１５において、カード挿入部５４に挿入されたカードが使用期限が切れていたり、契約以外のカードである場合には、Ｓ１６に進み、当該カードを返却して上記Ｓ１１に戻る。
【００６４】
また、上記Ｓ１５において、カード挿入部５４に挿入されたカードが使用可能であれば、Ｓ１７に進み、通常の給液処理を行う。尚、クレジットカードを使用する場合は、釣り銭金額の表示を行う必要がないので、これ以降の処理の説明は省略する。
【００６５】
また、上記Ｓ１４において、現金選択釦８４ｄが押圧操作されたときは、Ｓ１８に進み、紙幣入金画面８６（図５参照）をタッチパネル４９に表示して紙幣投入を指示する。次のＳ１９では、紙幣が紙幣挿入部５２に挿入されたかどうかをチェックする。
【００６６】
Ｓ１９において、紙幣が紙幣挿入部５２に挿入された場合は、Ｓ２０に進み、紙幣挿入部５２に挿入された紙幣の種別（千円札、２千円札、５千円札、一万円札）を紙幣鑑別部７６で鑑別し、その鑑別結果である入金額を表示する（図５参照）。続いて、Ｓ２１では、紙幣入金画面８６の決定釦８６ｆが押圧操作されたかどうかをチェックする。Ｓ２１において、紙幣入金画面８６の決定釦８６ｆが押圧操作されないときは、上記Ｓ１９に戻り、Ｓ１９以降の処理を再度実行する。
【００６７】
また、Ｓ２１において、紙幣入金画面８６の決定釦８６ｆが押圧操作されたときは、上記Ｓ２２に進み、液種選択画面８８（図６参照）をタッチパネル４９に表示する。
【００６８】
次のＳ２３では、液種選択画面８８に表示されたレギュラ選択釦８８ｃ、ハイオク選択釦８８ｄ、軽油選択釦８８ｅの何れかが押圧操作されたかどうかをチェックする。Ｓ２３において、レギュラ選択釦８８ｃ、ハイオク選択釦８８ｄ、軽油選択釦８８ｅの何れかが押圧操作されて液種を選択すると、Ｓ２４に進み、設定確認画面９０（図７参照）をタッチパネル４９に表示して設定内容の確認を行う。
【００６９】
このとき、設定確認画面９０の確認釦９０ｆは、プリセット給液モードの場合には、「確認」と表示され、満タン給液モードの場合には、「満タン」と表示される。これにより、顧客（運転者）は、満タン給液モードで給液する場合には、液種を選択した後、確認釦９０ｆを押圧操作すれば良いことが容易に分かるので、係員に質問することもなくなり、給液設定操作の時間が短縮される。
【００７０】
続いて、図１２に示されるように、Ｓ２５では、確認釦（満タン）９０ｆが押圧操作されたかどうかをチェックする。Ｓ２５において、確認釦（満タン）９０ｆが押圧操作されないときは、満タン給液モードが選択されずに、プリセット給液モードが選択されたものと判断してＳ２６に進み、設定確認画面９０の量指定釦９０ｄが押圧操作されたかどうかをチェックする。
【００７１】
Ｓ２６において、設定確認画面９０の量指定釦９０ｄが押圧操作されないときは、Ｓ２７に進み、設定確認画面９０の金額指定釦９０ｅが押圧操作されたかどうかをチェックする。Ｓ２７において、設定確認画面９０の金額指定釦９０ｅが押圧操作されないときは、Ｓ２５に戻り、Ｓ２５〜Ｓ２７の処理を繰り返す。
【００７２】
上記Ｓ２５において、確認釦（満タン）９０ｆが押圧操作されたときは、満タン給液モードが選択されたものと判断してＳ２８に進み、設定完了画面９２（図８参照）をタッチパネル４９に表示して給液操作の開始を指示する。
【００７３】
次のＳ２９では、ノズル掛け６２に設けられたノズルスイッチ７４がオフかどうかをチェックする。Ｓ２９において、ノズルスイッチ７４がオフのときは、給液ノズル６０が車両（図示せず）の給液口に挿入されているものと判断してＳ３０に進み、給液ポンプ７０を起動させる。続いて、Ｓ３１に進み、流量計７２から出力された流量パルスを積算して給液量を求める。
【００７４】
次のＳ３２では、タッチパネル４９の画面に給液中画面９４（図９参照）を表示して給液中の給液情報（給液量、税込み金額、単価など）を表示する。そして、Ｓ３３に進み、入金金額より給液金額を減算して給液量に対応する釣り銭金額を給液中画面９４の釣り銭金額表示領域９４ａに表示して報知する。このように、釣り銭金額が給液中画面９４の釣り銭金額表示領域９４ａに表示されるため、後述する追加給液を行う際に釣り銭に小銭が含まれないように簡単に給液ノズル６０の給液量を調整することが可能になる。
【００７５】
次のＳ３４では、実給液金額が紙幣挿入部５２に挿入された紙幣の入金金額と一致したかどうかをチェックする。Ｓ３４において、実給液金額が紙幣挿入部５２に挿入された紙幣の入金金額と一致しないときは、Ｓ３５に進み、ノズル掛け６２に設けられたノズルスイッチ７４がオフかどうかをチェックする。Ｓ３５において、ノズルスイッチ７４がオフのときは、給液ノズル６０が車両（図示せず）の給液口に挿入されているものと判断してＳ３１に戻る。
【００７６】
また、Ｓ３５において、ノズルスイッチ７４がオンのときは、ノズル掛け６２に給液ノズル６０が戻されて給液が終了したものと判断して、Ｓ３６に進む。また、Ｓ３４において、実給液金額が紙幣挿入部５２に挿入された紙幣の入金金額と一致したときは、給液可能な上限値に達したため、Ｓ３６に進み、給液ポンプ７０の運転を停止させる。
【００７７】
次のＳ３７では、先払いされた入金金額から給液金額（税込み）を差引いた釣り銭が有るかどうかを確認する。Ｓ３７において、釣り銭が無い場合には、Ｓ３８に進み、給液終了画面９６（図１０参照）をタッチパネル４９に表示する。そして、Ｓ３９で所定時間が経過したかどうかを確認する。Ｓ３９において、所定時間が経過すると、Ｓ４０に進み、タッチパネル４９の表示画面を消去する。これで、満タン給液の給液処理が終了する。
【００７８】
また、上記Ｓ３７において、釣り銭があるときは、Ｓ４１に進み、釣り銭払出し部５７（図２参照）から、先払いされた入金金額から給液量に応じた給液金額（消費税込み）を減算して算出された釣り銭を払い出しする。
【００７９】
また、プリセット給液が設定された場合、すなわち、上記Ｓ２６において、設定確認画面９０の量指定釦９０ｄが押圧操作された場合は、Ｓ４２に進み、量指定選択画面（図示せず）をタッチパネル４９の画面に表示する。
【００８０】
次のＳ４３では、給液量が入力されて確認釦９０ｆが押圧操作されたかどうかをチェックする。Ｓ４３において、確認釦９０ｆが押圧操作されたときは、Ｓ４４に進み、設定確認画面９０をタッチパネル４９の画面に表示して設定内容の確認を行う。
【００８１】
次のＳ４５では、給液量などの設定内容を確認するため確認釦９０ｆが押圧操作されたかどうかをチェックする。Ｓ４５において確認釦９０ｆが押圧操作されると、Ｓ４６に進み、ノズル掛け６２に設けられたノズルスイッチ７４がオフかどうかをチェックする。Ｓ４６において、ノズルスイッチ７４がオフのときは、給液ノズル６０が車両（図示せず）の給液口に挿入されているものと判断してＳ４７に進み、給液ポンプ７０を起動させる。続いて、Ｓ４８に進み、流量計７２から出力された流量パルスを積算して給液量を求める。
【００８２】
次のＳ４９では、タッチパネル４９の画面に給液中画面９４（図９参照）を表示して給液中の給液情報（給液量、税込み金額、単価など）を表示する。そして、Ｓ５０に進み、流量計７２により計測された給液量または給液金額が予め設定されたプリセット値に達したかどうかをチェックする。Ｓ５０において、給液量または給液金額が予め設定されたプリセット値に達しないときは、Ｓ４８に戻り、プリセット給液を継続する。
【００８３】
また、Ｓ５０において、給液量または給液金額が予め設定されたプリセット値に達したときは、Ｓ５１に進み、給液ポンプ７０を停止させる。
【００８４】
また、上記Ｓ２７において、設定確認画面９０の金額指定釦９０ｅが押圧操作された場合には、Ｓ５２に進み、金額指定選択画面（図示せず）をタッチパネル４９の画面に表示する。この後は、上記量指定の場合と同様にＳ４３〜Ｓ５１、Ｓ３８〜Ｓ４０の処理を実行する。これで、プリセット給液の給液処理が終了する。
【産業上の利用可能性】
【００８５】
尚、上記実施例では、地上設置型の計量機に取り付けられた構成を一例として挙げたが、これに限らず、懸垂式の給液装置にも適用できるのは勿論である。
【００８６】
また、上記実施例では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【図面の簡単な説明】
【００８７】
【図１】本発明になる燃料供給システムの一実施例を示す概略構成図である。
【図２】燃料供給機１６の正面図である。
【図３】燃料供給機１６の各機器の構成を示すブロック図である。
【図４】支払い方法入力画面８４の表示例を示す図である。
【図５】紙幣入金画面８６の表示例を示す図である。
【図６】液種選択画面８８の表示例を示す図である。
【図７】設定確認画面９０の表示例を示す図である。
【図８】設定完了画面９２の表示例を示す図である。
【図９】給液中画面９４の表示例を示す図である。
【図１０】給液終了画面９６の表示例を示す図である。
【図１１】燃料供給機１６の制御回路６６が実行する制御処理を説明するためのフローチャートである。
【図１２】図１１に示す処理に続いて実行される制御処理を説明するためのフローチャートである。
【符号の説明】
【００８８】
１０  給液システム
１６（１６１〜１６ｎ）  燃料供給機
２０  ＰＯＳ本体
２２  記憶装置
２４  計量機
２６  設定器
２８  自動支払機
４９  タッチパネル
５２  紙幣挿入部
５４  カード挿入部
５６  レシート発行部
５７  釣り銭払出し部
６２  ノズル掛け
６０  給液ノズル
６６  制御回路
７０  給液ポンプ
７２  流量計
９４  給液中画面
９４ａ  釣り銭金額表示領域
９４ｃ  給液金額表示領域
９４ｄ  給液量表示領域
【図１】
2005104472.tif 000003
【図２】
2005104472.tif 000004
【図３】
2005104472.tif 000005
【図４】
2005104472.tif 000006
【図５】
2005104472.tif 000007
【図６】
2005104472.tif 000008
【図７】
2005104472.tif 000009
【図８】
2005104472.tif 000010
【図９】
2005104472.tif 000011
【図１０】
2005104472.tif 000012
【図１１】
2005104472.tif 000013
【図１２】
2005104472.tif 000014